(57)【要約】【課題】適正な温熱振動処理を行い得るようにする。【解決手段】シート状のヒータ基板２４、２４Ｘと、これを挟むように設けられた発泡樹脂材料でなる内側マット２１、２１Ｘ及び外側マット２２、２２Ｘと、内蔵振動器４５、４５Ｘとを、防水材料でなる内布地３５、３５Ｘ及び外布地３６、３６Ｘによって袋状に包み込んで構成された薄い座布団状のカフ２、４を、被験者７の部位に巻き付け装着できるようにしたことによって、いろいろな体格の被験者７であっても、当該部位に対して簡便に温熱振動処理を付与することができる。【選択図】図２
2011092628.tif 000002
【特許請求の範囲】
【請求項１】
ヒータ線を有するシート状のヒータ基板と、
発泡樹脂材でなり、上記ヒータ基板を挟着保持する内側マット及び外側マットと、
上記外側マットに設けられた内蔵振動器と、
防水材料でなり、上記内側マット及び上記外側マットの外表面を覆うと共に、周縁部を互いに一体化することにより、上記ヒータ基板並びに上記内側マット及び上記外側マットを袋状に包み込む内布地及び外布地と
を有するカフを具え、上記カフを被験者の部位に巻き付け装着して上記ヒータ線及び上記内蔵振動器によって温熱振動を付与することにより、上記内布地内への発汗を促す
ことを特徴とする温熱振動装置。
【請求項２】
上記内布地及び上記外布地は防水材料でなる
ことを特徴とする請求項１に記載の温熱振動装置。
【請求項３】
上記内布地又は外布地は、上記袋状に包み込む空間を外気に連通する通気孔を有する
ことを特徴とする請求項２に記載の温熱振動装置。
【請求項４】
上記カフとして、被験者のウエストないしヒップの部位に当接するウエスト・ヒップ当接部によって上記被験者のウエストないしヒップの部位に対して温熱振動を付与するウエスト・ヒップ用カフを具える
ことを特徴とする請求項１ないし３のいずれかに記載の温熱振動装置。
【請求項５】
上記カフとして、被験者の右脚又は左脚に当接する右脚又は左脚当接部を有し、上記右脚又は左脚当接部によって、上記被験者の右脚又は左脚に対して温熱振動を付与する右脚又は左脚用カフを具える
ことを特徴とする請求項１ないし３のいずれかに記載の温熱振動装置。
【発明の詳細な説明】
【技術分野】
【０００１】
本発明は温熱振動装置に関し、例えば業務用美容役務において美容効果を高める場合に適用して好適なものである。
【背景技術】
【０００２】
従来、業務用美容役務においては、美容効果を高める方法として、温熱マッサージ装置（特許文献１参照）や、振動マッサージ装置（特許文献２参照）を使うことが提案されている。
【先行技術文献】
【特許文献】
【０００３】
【特許文献１】特開昭５５−６６３６１号公報
【特許文献２】実用新案登録第３０３５０８７号公報
【発明の概要】
【発明が解決しようとする課題】
【０００４】
ところで、業務用美容役務における実績から見て、多様な体型の被験者について、一定の美容効果を得る有効な要素として、痩せ易い体にすることが必要であると考えられる。
【０００５】
因に一般に、体についた脂肪は長い間には硬化する傾向にあり、これを一旦軟化させて体からとることができるような痩せ易い体にすることができれば、業務用美容役務における各種の美容コースにおける美容効果を向上できると考えられる。
【０００６】
本発明は以上の点を考慮してなされたもので、当該痩せ易い体に改善できるようにした温熱振動装置を提案しようとするものである。
【課題を解決するための手段】
【０００７】
かかる課題を解決するため本発明においては、ヒータ線２３、２３Ｘを有するシート状のヒータ基板２４、２４Ｘと、発泡樹脂材でなり、上記ヒータ基板２４、２４Ｘを挟着保持する内側マット２１、２１Ｘ及び外側マット２２、２２Ｘと、上記外側マット２２、２２Ｘ内に設けられた内蔵振動器４５、４５Ｘと、防水材料でなり、上記内側マット２１、２１Ｘ及び上記外側マット２２、２２Ｘの外表面を覆うと共に、周縁部を互いに一体化することにより、上記ヒータ基板２４、２４Ｘ並びに上記内側マット２１、２１Ｘ及び上記外側マット２２、２２Ｘを袋状に包み込む内布地３５、３５Ｘ及び外布地３６、３６Ｘとを有するカフ２，３を具え、上記カフ２，３を被験者７の部位に巻き付け装着して上記ヒータ線２３、２３Ｘ及び上記内蔵振動器４５、４５Ｘによって温熱振動を付与することにより、上記内布地３５、３５Ｘ内への発汗を促すようにする。
【発明の効果】
【０００８】
本発明によれば、シート状のヒータ基板と、これを挟むように設けられた発泡樹脂材料でなる内側マット及び外側マットと、内蔵振動器とを、防水材料でなる内布地及び外布地によって袋状に包み込んで構成された薄い座布団状のカフを、被験者の部位に巻き付け装着できるようにしたことによって、いろいろな体格の被験者であっても、当該部位に対して簡便に温熱振動処理をすることができる。
【図面の簡単な説明】
【０００９】
【図１】本発明の一実施の形態による温熱振動装置を示す斜視図である。
【図２】図１のウエスト・ヒップ用カフ２の詳細構成を示す平面図である。
【図３（Ａ）】図２のＫ１−Ｋ１断面構造を示す断面図である。
【図３（Ｂ）】図２のＫ２−Ｋ２断面構造を示す断面図である。
【図３（Ｃ）】図２のＫ３−Ｋ３断面構造を示す断面図である。
【図３（Ｄ）】図２のＫ４−Ｋ４断面構造を示す断面図である。
【図３（Ｅ）】図２のＫ５−Ｋ５断面構造を示す断面図である。
【図４】図１の右脚用カフ３Ｂの詳細構成を示す平面図である。
【図５（Ａ）】図４のＫ１１−Ｋ１１断面構造を示す断面図である。
【図５（Ｂ）】図４のＫ１２−Ｋ１２断面構造を示す断面図である。
【図５（Ｃ）】図４のＫ１３−Ｋ１３断面構造を示す断面図である。
【図５（Ｄ）】図４のＫ１４−Ｋ１４断面構造を示す断面図である。
【図５（Ｅ）】図４のＫ１５−Ｋ１５断面構造を示す断面図である。
【図６】図１の右腕用カフ４Ｂの詳細構成を示す平面図である。
【図７（Ａ）】図６のＫ２１−Ｋ２１断面構造を示す断面図である。
【図７（Ｂ）】図６のＫ２２−Ｋ２２断面構造を示す断面図である。
【図７（Ｃ）】図６のＫ２３−Ｋ２３断面構造を示す断面図である。
【図７（Ｄ）】図６のＫ２４−Ｋ２４断面構造を示す断面図である。
【図８】本発明の他の実施の形態を示す斜視図である。
【発明を実施するための形態】
【００１０】
以下図面について、本発明の一実施の形態を詳述する。
【００１１】
（１）全体構成
図１において、１は全体として温熱振動装置を示し、ウエスト・ヒップ用カフ２と、左脚用カフ３Ａ及び右脚用カフ３Ｂでなる脚用カフ３と、左腕用カフ４Ａ及び右腕用カフ４Ｂでなる腕用カフ４と、これらのカフを駆動制御する制御装置５とで構成されている。
【００１２】
図１の場合、温熱振動装置１の各カフは、美容役務における一例として、ベッド６上に上向きに寝ている被験者７に対して、装着されている。
【００１３】
（２）ウエスト・ヒップ用カフ
ウエスト・ヒップ用カフ２は、図２に示すように、左右方向に横長な薄い座布団形状のウエスト・ヒップ当接部１１を有し、その中央部分１１Ａの上側部分が締付保持部１２の中央部分１２Ａと連接している。
【００１４】
ウエスト・ヒップ用カフ２は、ウエスト・ヒップ当接部１１をベッド６に寝ている被験者７のウエスト・ヒップ部位に背中側から当接させた状態で、左側延長部分１１ＢＬ及び右側延長部１１ＢＲを当該被験者のウエスト・ヒップ部位に巻きつけるように折り曲げることにより、全体として被験者７のウエスト・ヒップ部位を中央部１１Ａと左及び右側延長部１１ＢＬ及び１１ＢＲによって覆い被せるようになされている。
【００１５】
この実施の形態の場合、左側延長部１１ＢＬの裏面には横方向に延長する２条のオス型マジックテープ１３ＢＬ１及び１３ＢＬ２が設けられていると共に、右側延長部１１ＢＲの表面に上下方向に延長する２条のメス型マジックテープ１３ＢＲ１及び１３ＢＲ２が設けられ、これにより先ず左側延長部１１ＢＬを被験者７に巻き付けた後、当該左側延長部１１ＢＬに重ねるように右側延長部１１ＢＲを巻き付けて、オス型マジックテープ１３ＢＬ１及び１３ＢＬ２並びにメス型マジックテープ１３ＢＲ１及び１３ＢＲ２を係止することにより、ウエスト・ヒップ当接部１１を被験者のウエストヒップ部位に巻付け保持できるようになされている。
【００１６】
締付保持部１２は、中央部分１２Ａから左及び右側方向に延長するベルト状の左及び右側延長部分１２ＢＬ及び１２ＢＲを有し、当該左及び右側延長部分１２ＢＬ及び１２ＢＲを被験者７のウエスト部位に巻き付けて左側延長部分１２ＢＬの裏面に設けられたオス型マジックテープ１４ＢＬを右側延長部分１２ＢＲの表面に設けられたメス型マジックテープ１４ＢＲに係止することにより、締付保持部１２によって被験者７のウエストを締付けて、ウエスト・ヒップ当接部１１を当該当接位置からずれないように保持するようになされている。
【００１７】
ウエスト・ヒップ当接部１１の中央部分１１Ａは、図３（Ａ）〜（Ｃ）に示すように、発泡ウレタンでなる内側マット２１及び外側マット２２間に、ヒータ線２３及び配線コード２７Ａ及び２７Ｂを保持するヒータ基板２４を挟み込み積層した構成を有する。
【００１８】
この実施の形態の場合、ヒータ基板２４は、可撓性かつ絶縁性を有するポリエステル布でなるヒータシート２４Ａ及び２４Ｂ間にヒータ線２３及び配線コード２７Ａ及び２７Ｂを挟んで耐熱性両面テープ２４Ｃによって接着した構成を有し、これによりヒータ線２３及び配線コード２７Ａ及び２７Ｂを厚さ方向に湾曲できるように内側マット２１及び外側マット２２間に保持できるようになされている。
【００１９】
ヒータ基板２４は、ウエスト・ヒップ当接部１１の左側延長部分１１ＢＬの左端部を残す位置から、右側延長部分１１ＢＲの右端部を残す位置までの中央領域に配設されていると共に、ヒータ基板２４を構成するヒータ線２３が、中央部分１１Ａにおいて、上下方向に波形状を呈するように配置され、これによりウエスト・ヒップ当接部１１の両端にある左側延長部分１１ＢＬ及び右側延長部分１１ＢＲの端部を除く中央部分１１Ａの全領域に亘ってヒータ線２３によってジュール熱を発生するようになされている。
【００２０】
この実施の形態の場合、ヒータ線２３はヒータ基板２４の左側下方位置に設けられた電源供給端子２６Ａ及び２６Ｂ間に電源接続用配線コード２７Ａ及び２７Ｂを介して接続されていると共に、当該配線コード２７Ａ及び２７Ｂにそれぞれ温度制限素子２８Ａ及び２８Ｂを設けることにより、ヒータ基板２４における発熱量が過大にならないように制限している。
【００２１】
ウエスト・ヒップ当接部１１の内側マット２１及び外側マット２２は、図３（Ａ）〜（Ｃ）に示すように、それぞれ防水性の軟質塩化ビニールシートでなる内布地３５及び外布地３６によって覆われており、これにより外部からの水分、例えば汗等を内側マット２１及び外側マット２２に浸透させないようになされている。
【００２２】
内布地３５及び外布地３６の外周縁部は熱圧着により接合されており、これによりウエスト・ヒップ当接部１１（図３（Ａ）〜（Ｃ））及び締付保持部１２（図３（Ｄ）及び図３（Ｅ））が全体として内布地３５及び外布地３６により形成された偏平な袋の中に、ヒータ基板２４並びに内側マット２１及び外側マット２２を封入してなる薄い座布団構造となっている。
【００２３】
この実施の形態の場合、ウエスト・ヒップ当接部１１の中央部分１１Ａの中心位置には、温熱強化領域１１ＡＸが形成され、下側から上方に人形形状を呈するように配線密度を高めるためのヒータ線部分２３Ｚが設けられると共に、図３（Ａ）及び（Ｂ）に示すように、当該ヒータ線部分２３Ｚを覆うようにアルミニウム板でなる５枚の熱緩和用放熱板４１が設けられ、これによりヒータ線部分２３Ｚから放熱された熱が、ヒータ線部分２３Ｚの近傍に集中せずに熱緩和用放熱板４１を介して周囲に拡散させ、これによりウエスト・ヒップ当接部１１の表面に被験者７のウエスト及びヒップ部位が当接したとき、当該ヒータ線部分２３Ｚから放出された熱が直接被験者７の皮膚に当たることにより赤化させるようなおそれを防止するようになされている。
【００２４】
因に、温熱強化領域１１ＡＸには、中央部分１１Ａのうちでも、被験者７に対して温熱すべき熱容量が特に大きいヒップ（及びウエスト）が当接するため、ヒータ線部分２３Ｘから発生すべき熱量を大きくする必要があることに加えて、ベッド６に上向きに寝ている被験者７の体重がヒップにかかるので当該ヒップの皮膚が温熱強化領域１１ＡＸに強く押しつけられるため、熱緩和用放熱板４１が設けられていないと、ヒータ線部分２３Ｘから発生される熱が集中的に被験者７の皮膚に当たることになるため熱赤化させるおそれがあるから、これを熱緩和用放熱板４１による熱緩和ないし放熱効果により予防する。
【００２５】
さらに、ウエスト・ヒップ当接部１１の温熱強化領域１１ＡＸにおいて、マット２１とヒータ基板２４及び熱緩和用放熱板４１との間には、不織布で構成された保護布４２が両面テープ４３によって熱緩和用放熱板４１ないしヒータ基板２４の表面に接着するように設けられ、これにより当該熱強化領域１１ＡＸに当接する被験者７のヒップ（及びウエスト）がその体重により強く押し付けられたとき、その当たりを柔らかく緩和するようになされている。
【００２６】
かかる構成に加えて、ウエスト・ヒップ当接部１１の温熱強化領域１１ＡＸの上方部分には４つの内蔵振動器４５が配設されている。
【００２７】
この内蔵振動器４５は、図３（Ａ）及び（Ｂ）に示すように、ヒータ基板２４と外側マット２２との間に設けられている。
【００２８】
かくして内蔵振動器４５が配設された温熱強化領域１１ＡＸが被験者７のウエスト（ヒップ）の皮膚に触れた状態で、ベット６上に寝たとき（図１）、内蔵振動器４５がベッド６に当ってヒータ基板２４を介して内側マット２１を内側に押し上げることにより、内蔵振動器４５の振動が内側マット２１及び内布地３５を介して被験者７のウエスト（ヒップ）の皮膚に伝達するようになされている。
【００２９】
以上の構成のウエスト・ヒップ用カフ２において、そのウエスト・ヒップ当接部１１を被験者７のウエスト（ヒップ）に当接させた状態において、ウエスト・ヒップ当接部１１の左側延長部分１１ＢＬ及び右側延長部分１１ＢＲを順次被験者のウエスト（ヒップ）部分に巻き付けてオス型マジックテープ１３ＢＬ１及び１３ＢＬ２の外側からメス型マジックテープ１３ＢＲ１及び１３ＢＲ２を係止することによってヒータ基板２４が被験者７のウエスト（ヒップ）を後ろ側から前側までの全体を覆うように巻き付けられる。
【００３０】
この状態において、締付保持部１２の左端側延長部分１２ＢＬ及び右側延長部分１２ＢＲを順次被験者７に巻き付けてオス型マジックテープ１４ＢＬに対してメス型マジックテープ１４ＢＲを係止すれば、ウエスト・ヒップ当接部１１を全体として被験者７のウエスト（ヒップ）に巻き付けた状態に保持できる。
【００３１】
この状態において、図１に示すように、被験者７が背中をベッド６に付けるように横たわって、制御装置５によってヒータ基板２４の電源供給端子２６Ａ及び２６Ｂに電源を供給すると共に、内蔵振動器４５に振動電源を供給すれば、内蔵振動器４５による振動がウエスト（ヒップ）に付与された状態で、ヒータ基板２４のヒータ線２３によって発生される温熱が、被験者７のウエスト（ヒップ）の周囲に与えられる。
【００３２】
このときウエスト・ヒップ当接部１１が発泡樹脂材料でなる内側及び外側マット２１及び２２を緩衝材としてその外側に防水性を有する内布地３５及び外布地３６によって覆われた構成を有することにより、被験者７のウエスト（ヒップ）に対する当たりが柔らかい状態において温熱をウエスト・ヒップ当接部１１の内部に閉じ込めることにより、被験者７がリラックスした状態でウエスト（ヒップ）部から適度な発汗を生じさせることができる。
【００３３】
このリラックスした状態において、被験者７のウエスト（ヒップ）には、その背後から内臓振動器４５からの振動が与えられることにより、そのマッサージ効果によってウエスト・ヒップをさらに一段と適切なリラックス状態に引き込むことができる。
【００３４】
この実施の形態の場合、締付保持部１２の左側及び右側延長部分１２ＢＬ及び１２ＢＲに設けられているオス型マジックテープ１４ＢＬ及び１４ＢＲには、図３（Ｄ）及び（Ｅ）に示すように、その厚みを貫通するように細い通気孔Ｐ１が設けられていると共に、取り付けられている内布地３５及び外布地３６の厚みを貫通するように細い通気孔Ｐ２が設けられており、これによりウエスト・ヒップ当接部１１及び締付保持部１２において、内布地３５及び外布地３６によって形成された袋内の空間を通気孔Ｐ１及びＰ２を通じて外気に連通させることにより、当該袋内の圧力を、水分を内部に侵入させないように、外気圧と平衡させるようになされている。
【００３５】
この結果温熱動作時に温度が上昇しても袋内の圧力が異常に高くならないように調整される。
【００３６】
上述の構成によれば、薄い座布団状に開いたウエスト・ヒップ当接部１１を被験者７の体型に応じて簡易に巻き付ける操作をするだけで、被験者７のウエスト（ヒップ）に適合するような柔らかさで、適度な温熱振動を与えることができるようなウエスト・ヒップ用カフ２を実現できる。
【００３７】
このときの温熱振動による美容効果として、被験者７のウエスト（ヒップ）についた固い脂肪を、発汗作用及び振動によるマッサージにより軟化させることによりとり易くでき、その結果各種の美容コースにおいて美容効果を生じやすいような、いわゆる痩せ易い体にすることができる。
【００３８】
（３）脚用カフ
左脚用カフ３Ａ及び脚用カフ３Ｂを有する脚用カフ３は、温熱振動処理対象を、右脚及び左脚のももからふくらはぎを通って脚先までの範囲とする。
【００３９】
右脚用カフ３Ｂは、図２及び図３との対応部分について同一符号に添字Ｘを付して、図４及び図５に示すように、ウエスト・ヒップ当接部１１の場合と同様に、ヒータ基板２４Ｘを内側マット２１Ｘ及び内布地３５Ｘと外側マット２２Ｘ及び外布地３６Ｘとによって挟み込み保持した構成の右脚当接部５１を有する。
【００４０】
右脚当接部５１の中央部分５１Ａには、ヒータ線２３Ｘのヒータ線部分２３ＺＸを波形状に折り返して配設した温熱強化領域５１ＡＸが、被験者７のもも及びふくらはぎ部位に対応するように設けられていると共に、その下側端部（図４の左方部分）には脚先対応部５１Ｂが設けられている。
【００４１】
かくして温熱強化領域５１ＡＸは、被験者７の脚先よりも大きい熱量で、もも及びふくらはぎを温熱できるようになされている。
【００４２】
温熱強化領域５１ＡＸにおいて、波形状のヒータ線部分２３ＺＸ上には、図５（Ａ）及び（Ｂ）に示すように、アルミニウム板でなる熱緩和用放熱板４１Ｘが設けられると共に、当該熱緩和用放熱板４１Ｘ上に不織布でなる保護布４２Ｘが両面テープ４３Ｘを用いて接着され（図５（Ｂ））、かくしてヒータ線２３Ｘに対して被験者７のもも及びふくらはぎが強く押し付けられたとき、温熱が、直接に、かつ部分的に、もも及びふくらはぎに与えられないように保護している。
【００４３】
この場合も、電源供給端子２６ＡＸ及び２６ＢＸからヒータ線２３Ｘに対して電源を供給する配線コード２７ＡＸ及び２７ＢＸに対して温度制限素子２８ＡＸ及び２８ＢＸが設けられている。
【００４４】
右脚当接部５１には、図５（Ｃ）に示すように、被験者７のももの上側部分（図４の右方部分）に対応する位置に、１個の内蔵振動器４５Ｘが設けられている。
【００４５】
中央部分５１Ａの右脚外側（図４の上方側）部分における外布地３６Ｘの表面には、メス型マジックテープ５２Ａ及び５２Ｂが設けられていると共に、右脚内側（図４の下方側）部分における内布地３５Ｘの内表面にオス型マジックテープ５３Ａ及び５３Ｂが設けられ、これにより中央部分５１Ａの外側部分が被験者７の右脚外側部位に巻き付けられた状態において、中央部分５１Ａの内側部分を内側から右脚に巻き付けた状態で、マジックテープ５２Ａ及び５２Ｂ並びに５３Ａ及び５３Ｂを係止することにより、中央部分５１Ａを被験者７の右脚の、ももからふくらはぎの部位に巻き付け保持できるようになされている。
【００４６】
右脚用カフ３Ｂのオス型マジックテープ５３Ａ及び５３Ｂには、ウエスト・ヒップ用カフ２の場合と同様に、その厚みを貫通するように細い通気孔Ｐ１が設けられていると共に、取り付けられている内布地３５Ｘの厚みを貫通するように細い通気孔Ｐ２が設けられ、これにより内布地３５Ｘ及び外布地３６Ｘによって形成された袋内の空気を、水分を内部に侵入させないように、外気と連通させるようになされている。
【００４７】
以上の構成に加えて、脚先対応部５１Ｂの中央部分には、被験者７が足を置くための足裏温熱部５４が設けられ、ヒータ線２３Ｘを折り曲げてなるヒータ線部分２３ＺＹにより、脚先の温熱を強化できるようになされている。
【００４８】
この実施の形態の場合、足裏温熱部５４のヒータ線部分２３ＺＹと内側マット２１Ｘとの間には、図５（Ｄ）に示すように、硬い綿材料でなる保護板部材５５が設けられ、ヒータ線部分２３ＺＹの発熱温を保護板部材５５を介して被験者７の足裏に与えることにより、脚先を柔らかく温熱するようになされている。
【００４９】
この実施の形態の場合、脚先対応部５１Ｂの外布地３６Ｘの表面にはメス型マジックテープ５６Ａ及び５６Ｂが設けられていると共に、内布地３５Ｘの表面にオス型マジックテープ５７Ａ及び５７Ｂが設けられ、これにより右脚当接部５１の中央部分５１Ａを被験者７の右脚のもも及びふくらはぎに巻き付け保持した状態において、これとは別に脚先対応部５１Ｂの脚先への巻き付け状態を必要に応じて調整できるようになされている。
【００５０】
以上の構成において、図１に示すように、被験者７をベッド６に寝かせた状態で、右脚用カフ３Ｂを拡げて被験者７の右脚の下に差し込んで中央部分５１Ａの外側縁部を右脚に外側から巻き付けた状態で、内側縁部を右脚の内側から巻き付けると共に、オス型マジックテープ５３Ａ及び５３Ｂをメス型マジックテープ５２Ａ及び５２Ｂに係止し、この状態において制御装置５から電源供給端子２６ＡＸ及び２６ＢＸに温熱電源を供給することにより、被験者７のもも及びふくらはぎを温熱することができる。
【００５１】
このとき、右脚当接部５１の内側マット２１Ｘ及び外側マット２２Ｘの周囲を耐水性の内布地３６Ｘ及び外布地３６Ｘによって覆うように構成したことにより、被験者７の右脚に適度な温熱を付与しながら発汗を促すことができる。
【００５２】
これと共に、内蔵振動機４５Ｘが被験者７のももの上部裏側に振動を与えることにより、被験者７のももを温熱マッサージすることができる。
【００５３】
これに加えて、右脚当接部５１の中央部分５１Ａを被験者７の右脚に巻き付けた状態で、被験者７の足裏が保護板部材５５に適正に乗っていることを、当該保護板部材５５上に付された足位置表示５８を利用して確認しながら、マジックテープ５６Ａ及び５６Ｂ並びに５７Ａ及び５７Ｂを係止することにより、脚先に対して適度な温熱を与えることができる。
【００５４】
この実施の形態の場合、脚先対応部５１Ｂの脚先側（図４の左方向）の端縁部における外布地３６Ｘの外表面には、図５（Ｅ）に示すように、脚先ベルト６１の一端が固着されており、その遊端の内面に設けられたオス型マジックテープでなる脚先ベッド止具６２が、少し離れた位置に固着されたメス型マジックテープでなる脚先ベッド止具６３に係止することにより、当該遊端を少し折り畳めるようになされている。
【００５５】
かくして、脚先ベッド止具６２及び６３によって脚先対応部５１Ｂの先端部分を締め込むことにより、脚先対応部５１Ｂ内の温熱状態を、必要に応じて閉じ込めることができるようになされている。
【００５６】
以上の構成によれば、右脚用カフ３Ｂとして、薄い座布団状に開いた右脚当接部５１を被験者７に対して位置決めした後、その中央部分５１Ａ及び脚先対応部５１Ｂの側縁部を折り曲げる操作をするだけで、被験者７の体型（例えば右脚の太さや長さ）に適正に対応させながら温熱振動を与えることができる。
【００５７】
このときの温熱振動による美容効果として、被験者７のウエスト（ヒップ）についた固い脂肪を、発汗作用及び振動によるマッサージにより軟化させることによりとり易くでき、その結果各種の美容コースにおいて美容効果を生じやすいような、いわゆる痩せ易い体にすることができる。
【００５８】
（４）左脚用カフ
図４及び図５においては右脚用カフ３Ｂの構成について述べたが、左脚用カフ３Ａは、右脚用カフ３Ｂを内側から見て（図４の下方向の位置から上方向を見て）線対称となるような構成を有し、これにより、上述の場合と同様の効果が得られる左脚用カフ３Ａを実現できる。
【００５９】
（５）右腕用カフ
右腕用カフ４Ｂは、図６及び図７において、図２及び図３との対応部分に同一符号に添字Ｙを付して示すように、ヒータシート２４ＡＹ及び２４ＢＹがヒータ線２３Ｙ並びに配線コード２７ＡＹ及び２７ＢＹを挟んで両面テープ２４ＣＹで接着保持してなるヒータ板２４Ｙを、内側マット２１Ｙ及び外側マット２２Ｙで挟み込み保持すると共に、その外側を袋状の内布地３５Ｙ及び外布地３６Ｙで覆った薄い座布団構成の右腕当接部７１を有する（図７（Ａ））。
【００６０】
この場合のヒータ基板２４Ｙは、右腕当接部７１の外側対応部７２の領域において、１本のヒータ線２３Ｙが、被験者７の右腕の外側部位について肩から手首までの範囲に、配設された構成を有する。
【００６１】
これに対して右腕当接部７１の内側対応部７３には、被験者７の右腕の内側について、わきの下から手首までの範囲に２本のヒータ線２３Ｙが配設されている。
【００６２】
この場合、外側対応部７２において、電源供給端子２６ＡＹから電源を供給する配線コード２７ＡＹには温度制限素子２８ＡＹが設けられていると共に、内側対応部７３において、電源供給端子２６ＢＹから電源を供給する内側配線コード２７ＢＹには温度制限素子２８ＢＹ（図７（Ｄ））が設けられている。
【００６３】
この腕用カフ４Ｂの右腕当接部７１には、ウエスト・ヒップ用カフ２において用いられていた熱緩和用放熱板４１及びこれを保護する保護布地４２に対応する構成は設けられていない。
【００６４】
その理由は、右腕用カフ４Ｂの場合、被験者７の右腕には、それ自体の重量によってヒータ線２３Ｙを強く押し付けるような力が働かず、この点はウエスト・ヒップ用カフ２の中央部分１２Ａに対して体重がかかるのとは異なるからである。
【００６５】
外側対応部分７２の内布地３５Ｙの外側縁部の表面には、図７（Ｂ）に示すように、細い通気孔Ｐ１を有するメス型マジックテープ７４Ａ及び７４Ｂが設けられている（対応する内布地３５Ｙに細い通気孔Ｐ２が設けられている）のに対し、内側対応部７３の外布地３６Ｙの縁部裏面には、図７（Ｃ）に示すように、細い通気孔Ｐ１を有するオス型マジックテープ７５Ａ及び７５Ｂが設けられている（対応する外布地３６Ｙに細い通気孔Ｐ２が設けられている）。
【００６６】
以上の構成において、図１に示すように、被験者７をベッド６に寝かせた状態において、右腕当接部７１を座布団を拡げたような態様で被験者７の右腕及びベッド６の間に差し込み、外側対応部７２を被験者７の右腕に外側から折り込むように巻き付けた後、内側対応部７３を被験者７の右腕の内側から折り込むように巻き付けてオス型マジックテープ７５Ａ及び７５Ｂをメス型マジックテープ７４Ａ及び７４Ｂに係止させることにより、右腕当接部７１の内布地３５Ｙを被験者７の右腕に直接接触させるように右腕用カフ４Ｂを装着し、この状態において制御装置５によってヒータ基板２４Ｙを用いて温熱を行なう。
【００６７】
かくして内側マット２１Ｙ及び外側マット２２Ｙを多孔性材料で構成したことにより被験者７の右腕に柔かく接触しながら温熱することにより右腕の発汗を促すと共に、当該発汗した汗を防水性材料でなる内布地３５によって保持することにより、被験者７に対して快適かつ痩せ易い体に調整できるような温熱処理を施すことができる。
【００６８】
かくするにつき、被験者７の右腕に対する装着や取り外しが簡便な右腕用カフ４Ｂを実現できる。
【００６９】
（６）左腕用カフ
左腕用カフ４Ａは、上述の右腕用カフ４Ｂに対して、その右腕当接部７１の内側縁部を基準にして線対称になるように構成されている。
【００７０】
かくして左腕用カフ４Ａによっても、右腕用カフ４Ｂの場合と同様の作用効果が得られる。
【００７１】
（７）他の実施の形態
（７−１）  上述の実施の形態においては、図１について上述したように、披験者７に対してウエスト・ヒップ用カフ２と、左脚用カフ３Ａ及び右脚用カフ３Ｂと、左腕用カフ４Ａ及び右腕用カフ４Ｂとを組み合わせて温熱振動付与処理を行なうようにした場合について述べたが、これに代え、図８に示すように、左腕用カフ４Ａ及び右腕用カフ４Ｂを適用せずにウエスト・ヒップ用カフ２と左脚用カフ３Ａ及び右脚用カフ３Ｂを用いて温熱振動付与処理を行なうようにしてもよい。
【００７２】
さらにこれに限らず、ウエスト・ヒップ用カフ２や、左脚用カフ３Ａ及び右脚用カフ３Ｂと、左腕用カフ４Ａ及び右腕用カフ４Ｂとをそれぞれ単独に適用して温熱振動付与処理や温熱付与処理を行なうようにしても、上述の場合と同様の効果を得ることができる。
【００７３】
（７−２）  上述の実施の形態のウエスト・ヒップ当接部１１及び右脚当接部５１（又は左脚当接部）においては、ヒータ基板２４及び２４Ｘに対して外側マット２２及び２２Ｘ側位置に内蔵振動器４５及び４５Ｘを設けるようにしたが、これに代え、内側マット２１及び２１Ｘ側に設けるようにしても、上述の場合と同様の効果を得ることができる。
【産業上の利用可能性】
【００７４】
本発明は温熱振動付与により美容効果を求める場合に利用することができる。
【符号の説明】
【００７５】
１……温熱振動装置、２……ウエスト・ヒップ用カフ、３……脚用カフ、３Ａ……左脚用カフ、３Ｂ……右脚用カフ、４……腕用カフ、４Ａ……左腕用カフ、４Ｂ……右腕用カフ、５……制御装置、６……ベット、１１……ウエスト・ヒップ当接部、１１Ａ……中央部分、１１ＢＬ……左側延長部分、１１ＢＲ……右側延長部分、１２……締付保持部、１２Ａ……中央部分、１２ＢＬ……左側延長部分、１２ＢＲ……右側延長部分、２１、２１Ｘ、２１Ｙ……内側マット、２２、２２Ｘ、２２Ｙ……外側マット、２３、２３Ｘ、２３Ｙ……ヒータ線、２４、２４Ｘ、２４Ｙ……ヒータ基板、２４Ａ、２４ＡＸ、２４ＡＹ、２４Ｂ、２４ＢＸ、２４ＢＹ……ヒータシート、２６Ａ、２６ＡＸ、２６ＡＹ、２６Ｂ、２６ＢＸ、２６ＢＹ……電源供給端子、２７Ａ、２７ＡＸ、２７ＡＹ、２７Ｂ、２７ＢＸ、２７ＢＹ……配線パターン、（１３ＢＬ１、１３ＢＬ２、１３ＢＲ１、１３ＢＲ２、１４ＢＬ、１４ＢＲ）、（５２Ａ、５２Ｂ、５３Ａ、５３Ｂ、５６Ａ，５６Ｂ、５７Ａ、５７Ｂ）、（７４Ａ、７４Ｂ、７５Ａ、７５Ｂ）……マジックテープ、２８Ａ、２８ＡＸ、２８ＡＹ、２８Ｂ、２８ＢＸ、２８ＢＹ……温度制限素子、３５、３５Ｘ、３５Ｙ……内布地、３６、３６Ｘ、３６Ｙ……外布地、２１、２１Ｘ、２１Ｙ……内側マット、２２、２２Ｘ、２２Ｙ……外側マット、４１、４１Ｘ、４１Ｙ……熱緩和用放熱板、４２、４２Ｘ……保護布地、４５、４５Ｘ……内蔵振動器、５１……右脚当接部、５１Ａ……中央部分、５１Ｂ……脚先対応部、５５……保護板部材、５８……足位置表示、７１……右腕当接部、７２……外側対応部、７３……内側対応部。
【図１】
2011092628.tif 000003
【図２】
2011092628.tif 000004
【図３（Ａ）】
2011092628.tif 000005
【図３（Ｂ）】
2011092628.tif 000006
【図３（Ｃ）】
2011092628.tif 000007
【図３（Ｄ）】
2011092628.tif 000008
【図３（Ｅ）】
2011092628.tif 000009
【図４】
2011092628.tif 000010
【図５（Ａ）】
2011092628.tif 000011
【図５（Ｂ）】
2011092628.tif 000012
【図５（Ｃ）】
2011092628.tif 000013
【図５（Ｄ）】
2011092628.tif 000014
【図５（Ｅ）】
2011092628.tif 000015
【図６】
2011092628.tif 000016
【図７（Ａ）】
2011092628.tif 000017
【図７（Ｂ）】
2011092628.tif 000018
【図７（Ｃ）】
2011092628.tif 000019
【図７（Ｄ）】
2011092628.tif 000020
【図８】
2011092628.tif 000021